(57)【要約】【課題】上り回線のトラフィック量の変動が大きい場合でも、効率的な送信制御を行う。【解決手段】受信ＴＦＩ値算出部１０２は、上り制御データである個別物理制御チャネル(ＤＰＣＣＨ)のＴＦＣＩから受信ＴＦＩ値を算出する。ＡＴＭセルトラフィック量算出部１０８は、受信ＴＦＩ値算出部１０２により算出された受信ＴＦＩ値と、復号パラメータ格納部１０３に格納されているトランスポート数およびＴＦＩ値に対するトランスポートサイズとトランスポートブロック数よりＡＴＭセル組み立て部１０４で生成される単位時間当たりのＡＴＭセル数をＶＣ毎に算出する。優先セル制御部１０９は、ＡＴＭセルトラフィック量算出部１０８からの情報を用いて優先セル制御を行う。【選択図】図１
2007074656.tif 000002
【特許請求の範囲】
【請求項１】
ＡＴＭ伝送路により上位装置と接続された無線基地局装置であって、
上り制御データである個別物理制御チャネルのＴＦＣＩから受信ＴＦＩ値を算出する受信ＴＦＩ値算出部と、
上り受信データである個別物理データチャネルを、前記受信ＴＦＩ値算出部から通知された受信ＴＦＩ値に基づいてトランスポートチャネル毎に復号処理する受信データ復号処理部と、
前記受信データ復号処理部と前記受信ＴＦＩ値算出部が処理を行うためのパラメータとして、トランスポートチャネル数およびＴＦＩ値に対するトランスポートブロックサイズとトランスポートブロック数を格納している復号パラメータ格納部と、
前記受信データ復号処理部により復号された上りデータフレームのＡＴＭセル化を行うＡＴＭセル組み立て部と、
前記受信ＴＦＩ値算出部により算出された受信ＴＦＩ値と、前記復号パラメータ格納部に格納されているトランスポート数およびＴＦＩ値に対するトランスポートサイズとトランスポートブロック数より前記ＡＴＭセル組み立て部で生成される単位時間当たりのＡＴＭセル数をＶＣ毎に算出するＡＴＭセルトラフィック量算出部と、
各ＶＣ毎に割り当てられた最大帯域の情報が格納されているＡＴＭ伝送路パラメータ格納部と、
前記ＡＴＭセルトラフィック量算出部により算出された各ＶＣ毎の単位時間当たりのＡＴＭセル数の比率の情報を優先セル制御を行うための情報として出力する優先セル制御部と、
前記優先セル制御部からの情報に基づいて、前記ＡＴＭセル組み立て部からのＡＴＭセルに対してＶＣ毎の優先セル制御を行うＡＴＭセル送信制御部と、
前記ＡＴＭ伝送路パラメータ格納部に格納されている各ＶＣ毎に割り当てられた最大帯域に基づいて、前記ＡＴＭセル送信制御部からのＡＴＭセルに対してシェーピング処理を行ってＡＴＭ伝送路に送信するシェーピング処理部と、
を有する無線基地局装置。
【請求項２】
ＡＴＭ伝送路により上位装置と接続された無線基地局装置であって、
上り制御データである個別物理制御チャネルのＴＦＣＩから受信ＴＦＩ値を算出する受信ＴＦＩ値算出部と、
上り受信データである個別物理データチャネルを、前記受信ＴＦＩ値算出部から通知された受信ＴＦＩ値に基づいてトランスポートチャネル毎に復号処理する受信データ復号処理部と、
前記受信データ復号処理部と前記受信ＴＦＩ値算出部が処理を行うためのパラメータとして、トランスポートチャネル数およびＴＦＩ値に対するトランスポートブロックサイズとトランスポートブロック数を格納している復号パラメータ格納部と、
前記受信データ復号処理部により復号された上りデータフレームのＡＴＭセル化を行うＡＴＭセル組み立て部と、
前記受信ＴＦＩ値算出部により算出された受信ＴＦＩ値と、前記復号パラメータ格納部に格納されているトランスポート数およびＴＦＩ値に対するトランスポートサイズとトランスポートブロック数より前記ＡＴＭセル組み立て部で生成される単位時間当たりのＡＴＭセル数をＶＣ毎に算出するＡＴＭセルトラフィック量算出部と、
各ＶＣ毎に割り当てられた最大帯域の情報が格納されているＡＴＭ伝送路パラメータ格納部と、
前記ＡＴＭセルトラフィック量算出部により算出された単位時間当たりのＡＴＭセル数の、最大帯域に基づく単位時間当たりのＡＴＭセル数の上限値に対する割合を各ＶＣ毎に求め、該割合の比率の情報を優先セル制御を行うための情報として出力する優先セル制御部と、
前記優先セル制御部からの情報に基づいて、前記ＡＴＭセル組み立て部からのＡＴＭセルに対してＶＣ毎の優先セル制御を行うＡＴＭセル送信制御部と、
前記ＡＴＭ伝送路パラメータ格納部に格納されている各ＶＣ毎に割り当てられた最大帯域に基づいて、前記ＡＴＭセル送信制御部からのＡＴＭセルに対してシェーピング処理を行ってＡＴＭ伝送路に送信するシェーピング処理部と、
を有する無線基地局装置。
【請求項３】
ＩＰ伝送路により上位装置と接続された無線基地局装置であって、
上り制御データである個別物理制御チャネルのＴＦＣＩから受信ＴＦＩ値を算出する受信ＴＦＩ値算出部と、
上り受信データである個別物理データチャネルを、前記受信ＴＦＩ値算出部から通知された受信ＴＦＩ値に基づいてトランスポートチャネル毎に復号処理する受信データ復号処理部と、
前記受信データ復号処理部と前記受信ＴＦＩ値算出部が処理を行うためのパラメータとして、トランスポートチャネル数およびＴＦＩ値に対するトランスポートブロックサイズとトランスポートブロック数を格納している復号パラメータ格納部と、
前記受信データ復号処理部により復号された上りデータフレームのイーサネットフレーム化を行うフレーム組み立て部と、
前記受信ＴＦＩ値算出部により算出された受信ＴＦＩ値と、前記復号パラメータ格納部に格納されているトランスポート数およびＴＦＩ値に対するトランスポートサイズとトランスポートブロック数より前記フレーム組み立て部で生成される単位時間当たりのイーサネットフレーム数をＶＣ毎に算出するフレームトラフィック量算出部と、
各ＶＣ毎に割り当てられた最大帯域の情報が格納されているＩＰ伝送路パラメータ格納部と、
前記フレームトラフィック量算出部により算出された各ＶＣ毎の単位時間当たりのフレーム数の比率の情報を優先フレーム制御を行うための情報として出力する優先フレーム制御部と、
前記優先フレーム制御部からの情報に基づいて、前記フレーム組み立て部からのイーサネットフレームに対してＶＣ毎の優先フレーム制御を行うフレーム送信制御部と、
前記ＩＰ伝送路パラメータ格納部に格納されている各ＶＣ毎に割り当てられた最大帯域に基づいて、前記フレーム送信制御部からのイーサネットフレームに対してシェーピング処理を行ってＩＰ伝送路に送信するシェーピング処理部と、
を有する無線基地局装置。
【請求項４】
ＩＰ伝送路により上位装置と接続された無線基地局装置であって、
上り制御データである個別物理制御チャネルのＴＦＣＩから受信ＴＦＩ値を算出する受信ＴＦＩ値算出部と、
上り受信データである個別物理データチャネルを、前記受信ＴＦＩ値算出部から通知された受信ＴＦＩ値に基づいてトランスポートチャネル毎に復号処理する受信データ復号処理部と、
前記受信データ復号処理部と前記受信ＴＦＩ値算出部が処理を行うためのパラメータとして、トランスポートチャネル数およびＴＦＩ値に対するトランスポートブロックサイズとトランスポートブロック数を格納している復号パラメータ格納部と、
前記受信データ復号処理部により復号された上りデータフレームのイーサネットフレーム化を行うフレーム組み立て部と、
前記受信ＴＦＩ値算出部により算出された受信ＴＦＩ値と、前記復号パラメータ格納部に格納されているトランスポート数およびＴＦＩ値に対するトランスポートサイズとトランスポートブロック数より前記フレーム組み立て部で生成される単位時間当たりのイーサネットフレーム数をＶＣ毎に算出するフレームトラフィック量算出部と、
各ＶＣ毎に割り当てられた最大帯域の情報が格納されているＩＰ伝送路パラメータ格納部と、
前記フレームトラフィック量算出部により算出された各ＶＣ毎の単位時間当たりのフレーム数の比率の情報を優先フレーム制御を行うための情報として出力する優先フレーム制御部と、
前記フレームトラフィック量算出部により算出された単位時間当たりのフレーム数の、最大帯域に基づく単位時間当たりのフレーム数の上限値に対する割合を各ＶＣ毎に求め、該割合の比率の情報を優先フレーム制御を行うための情報として出力する優先フレーム制御部と、
前記優先フレーム制御部からの情報に基づいて、前記フレーム組み立て部からのイーサネットフレームに対してＶＣ毎の優先フレーム制御を行うフレーム送信制御部と、
前記ＩＰ伝送路パラメータ格納部に格納されている各ＶＣ毎に割り当てられた最大帯域に基づいて、前記フレーム送信制御部からのイーサネットフレームに対してシェーピング処理を行ってＩＰ伝送路に送信するシェーピング処理部と、
を有する無線基地局装置。
【発明の詳細な説明】
【技術分野】
【０００１】
本発明は、ＡＴＭ(Asynchronous Transfer Mode)セルを伝送するためのＡＴＭ伝送装置またはイーサネット（登録商標）フレームを伝送るためのイーサネット伝送装置に関し、特に、ＡＴＭ伝送路またはＩＰ（Internet Protocol）伝送路を介して上位装置と接続された無線基地局装置に関する。
【背景技術】
【０００２】
移動通信システム等において、無線基地局装置と上位装置との間をＡＴＭ伝送路で接続することが行われている。このような場合、ＡＴＭ伝送路を有する無線基地局装置において、上りトラフィック量やサービスベアラによらず、上位装置の規定内で最大限にＡＴＭセルを効率的に送信することが求められている。
【０００３】
このＡＴＭ伝送路では、１本の物理的な通信路において複数の通信路が仮想的に割り当てられている。このように仮想的に割り当てられたチャンネルは、バーチャルチャネル（以下、ＶＣ（Virtual Channel）と略す。）と呼ばれている。この各ＶＣを区別するために、それぞれのＶＣにはＶＣＩ（Virtual Channel Identifier：仮想チャネル識別子）が設けられている。
【０００４】
このＶＣには特定の帯域が割り当てられ、各ＶＣに対してそれぞれ複数のトランスポートチャネルを割り当てることができるようになっている。そのため、各トランスポートチャネルを識別する為にＡＡＬ２レイヤでＣＩＤ(Channel ID)という識別子が設けられている。
【０００５】
例えば、ＶＣＩ＝６５というＶＣに、複数のトランスポートチャネルが割り当てられている場合の例を下記に示す。
VC(VCI=65)−トランスポートチャネル(CID=100)＜音声＞
−トランスポートチャネル(CID=101)＜パケット＞
−トランスポートチャネル(CID=200)＜ISDN＞
：
−トランスポートチャネル(CID=384)＜パケット＞
：
上記のようなトランスポートチャネル(音声、パケット、ＩＳＤＮ等)は、総称してベアラ（サービスベアラ）と呼ばれている。
【０００６】
このようなシステムにおいて伝送されるＡＴＭセルには、リアルタイム性が必要となるセル(音声データや特定の制御データ等)やリアルタイム性が必要ではないセル(Ｗｅｂデータ等)があり、これらの両方のセルが装置内のバッファに同時に格納されている場合に、リアルタイム性が必要となるセルを優先して送信する優先セル送信制御が必要となる。
【０００７】
この優先セル送信制御を行うセル送信制御装置としては様々な構成が提案されている（例えば、特許文献１、２参照。）。このような優先セル送信制御を行う従来の無線基地局装置の構成の一例を図６に示す。
【０００８】
この従来の無線基地局装置は、図６に示されるように、受信データ復号処理部１０１と、受信ＴＦＩ(Transport Format Indicator：トランスポートフォーマットインディケータ)値算出部１０２と、復号パラメータ格納部１０３と、ＡＴＭセル組み立て部１０４と、ＡＴＭセル送信制御部１０５と、セルバッファ部１０６と、シェーピング処理部１０７と、優先セル制御部９０９と、ＡＴＭパッケージ他メータ格納部１１１とから構成されている。そして、この従来の無線基地局装置は、ＡＴＭ伝送路を介して上位装置と接続されている。
【０００９】
受信ＴＦＩ値算出部１０２は、上り制御データである個別物理制御チャネル(ＤＰＣＣＨ)のＴＦＣＩ(Transport-Format-Combination Indicator)から受信ＴＦＩ値を算出する。
【００１０】
受信データ復号処理部１０１は、上り受信データである個別物理データチャネル(ＤＰＤＣＨ)を、受信ＴＦＩ値算出部１０２から通知された受信ＴＦＩ値に基づいてトランスポートチャネル毎に復号処理する。
【００１１】
復号パラメータ格納部１０３は、受信データ復号処理部１０１と受信ＴＦＩ値算出部１０２が処理するためのパラメータとして、トランスポートチャネル数およびＴＦＩ値に対するトランスポートブロックサイズとトランスポートブロック数を格納している。
【００１２】
ＡＴＭセル組み立て部１０４は、受信データ復号処理部１０１により復号された上りデータフレームのＡＴＭセル化を行う。
【００１３】
このＡＴＭセル組み立て部１０４における上りデータフレームをＡＴＭセル化する際の処理を図７を参照して説明する。
【００１４】
図７（ａ）に示されるように、受信データ復号処理部１０１からの１５２バイトの受信データフレーム１１２は、４つのＡＴＭセル１２７に変換される。また、各ＡＴＭセルは、図７（ｂ）に示されるように、５バイトのＡＴＭヘッダ（ＡＨ）１２８と、３バイトのショートセルヘッダ１２９と、４５バイトのショートセルペイロード１３０とから構成され、合計して５３バイトの構成となっている。
【００１５】
ＡＴＭ伝送路パラメータ格納部１１１は、各ＶＣ毎に割り当てられた最大帯域の情報が格納されている。
【００１６】
優先セル制御部９０９は、ＡＴＭ伝送路パラメータ格納部１１１に格納されている各ＶＣ毎の最大帯域の比率の情報を優先セル制御を行うための情報としてＡＴＭセル送信制御部１０５に通知する。
【００１７】
ＡＴＭセル送信制御部１０５は、優先セル制御部９０９からの情報に基づいて、ＡＴＭセル組み立て部１０４からのＡＴＭセルに対してＶＣ毎の優先セル制御を行いＡＴＭセルを送信する。
【００１８】
セルバッファ部１０６はＡＴＭセルを格納する。シェーピング処理部１０７は、ＡＴＭ伝送路パラメータ格納部１１１に格納されている各ＶＣ毎に割り当てられた最大帯域に基づいて、ＡＴＭセル送信制御部１０５からのＡＴＭセルに対してシェーピング処理を行いＡＴＭ伝送路に送信する。
【００１９】
この従来の無線基地局装置では、ＡＴＭ伝送路パラメータ格納部１１１に格納されているＶＣ毎の最大帯域の比率による固定的な優先セル制御が行われていたために、実際の各ＶＣのトラフィック量の比率が、設定された最大帯域の比率とかけ離れたものになった場合に効率的にシェーピング処理部１０７にＡＴＭセルを送信できない場合があった。
【００２０】
従来の優先セル制御部９０９において行われる優先セル制御方法を図８に示す。
【００２１】
従来の優先セル制御部９０９はＡＴＭ伝送路パラメータ格納部１１１から通知された、各ＶＣの最大帯域の比率をＡＴＭセル送信制御部１０５に通知しＡＴＭセル送信制御部１０５はその比率の高い順に優先セル制御を行っていた。
【００２２】
例えば、図８に示した例では、ＶＣA（ＶＣＩ＝ＡのＶＣ）の最大帯域が１０Ｍｂｐｓ、ＶＣB（ＶＣＩ＝ＢのＶＣ）の最大帯域が５Ｍｂｐｓ、ＶＣC（ＶＣＩ＝ＣのＶＣ）の最大帯域が２０Ｍｂｐｓ、ＶＣD（ＶＣＩ＝ＤのＶＣ）の最大帯域が８Ｍｂｐｓ、ＶＣE（ＶＣＩ＝ＥのＶＣ）の最大帯域が１２Ｍｂｐｓに設定されているものとする。
【００２３】
この場合に、ＶＣA、ＶＣB、ＶＣC、ＶＣD、ＶＣEの単位時間当たりのＡＴＭセル数の上限値Ａmax、Ｂmax、Ｃmax、Ｄmax、Ｅmaxは、それぞれ、この最大帯域の値から算出される。例えば、ＶＣA（ＶＣＩ＝Ａ）の場合についての単位時間（１０ｍｓ）当たりのＡＴＭセル数の上限値は、１つのＡＴＭセルは５３バイトであり、１バイトは８ビットであるため、下記のような式により算出される。
【００２４】
１０Ｍｂｐｓ／（８×５３×１００）＝２３５（セル／１０ｍｓ）
この図８に示したような場合には、従来の無線基地局装置では、固定的に割り当てられた最大帯域の比率(１０：５：２０：８：１２)に基づいて優先セル制御が行われる。
【００２５】
このような従来の優先セル制御を行う無線基地局装置では、実際のトラフィック量が、割り当てられた最大帯域の比に近い場合には問題がないが、接続されているサービスベアラが音声やＩＳＤＮのような固定的なデータ通信ではなく、パケット通信のような可変的なデータ通信が多く接続されている場合には問題が発生する。なぜなら、パケット通信はたくさんのトランスポートブロック数を持つ(たくさんのＴＦＩ値を持つ)ために、トランスポートブロック領域の変動が状況に応じて大きくなり、実際のトラフィック量が割り当てられた最大帯域の比に近いトラフィック量とはならない。そのため、このように固定的な優先セル制御では、効率的なＡＴＭセル送信制御が行われないことになる。
【００２６】
また、将来的にＥ−ＤＣＨ(Enhanced Data Channel)と呼ばれる上り伝送容量の大きなサービスを開始することが３ＧＰＰ（3rd Generation Partnership Project）２５．８９６において提案されており、上りトラフィック量の変動が大きな場合でも効率的な送信制御を行うことができる優先セル送信制御方法が要求される。
【特許文献１】特開２０００−３１２２０５号公報
【特許文献２】特開２００４−１５５０４号公報
【発明の開示】
【発明が解決しようとする課題】
【００２７】
上述した従来の無線基地局装置では、各ＶＣ毎に予め一定の帯域を割り当てて優先セル制御を行っていたため、上り回線のトラフィック量の変動が大きい場合には、効率的な送信制御を行うことができないという問題点を有していた。
【００２８】
本発明の目的は、上り回線のトラフィック量の変動が大きい場合でも、効率的な送信制御を行うことが可能な優先セル制御を行うことが可能な無線基地局装置を提供することである。
【課題を解決するための手段】
【００２９】
上記目的を達成するために、本発明の無線基地局装置は、ＡＴＭ伝送路により上位装置と接続された無線基地局装置であって、
上り制御データである個別物理制御チャネルのＴＦＣＩから受信ＴＦＩ値を算出する受信ＴＦＩ値算出部と、
上り受信データである個別物理データチャネルを、前記受信ＴＦＩ値算出部から通知された受信ＴＦＩ値に基づいてトランスポートチャネル毎に復号処理する受信データ復号処理部と、
前記受信データ復号処理部と前記受信ＴＦＩ値算出部が処理を行うためのパラメータとして、トランスポートチャネル数およびＴＦＩ値に対するトランスポートブロックサイズとトランスポートブロック数を格納している復号パラメータ格納部と、
前記受信データ復号処理部により復号された上りデータフレームのＡＴＭセル化を行うＡＴＭセル組み立て部と、
前記受信ＴＦＩ値算出部により算出された受信ＴＦＩ値と、前記復号パラメータ格納部に格納されているトランスポート数およびＴＦＩ値に対するトランスポートサイズとトランスポートブロック数より前記ＡＴＭセル組み立て部で生成される単位時間当たりのＡＴＭセル数をＶＣ毎に算出するＡＴＭセルトラフィック量算出部と、
各ＶＣ毎に割り当てられた最大帯域の情報が格納されているＡＴＭ伝送路パラメータ格納部と、
前記ＡＴＭセルトラフィック量算出部により算出された各ＶＣ毎の単位時間当たりのＡＴＭセル数の比率の情報を優先セル制御を行うための情報として出力する優先セル制御部と、
前記優先セル制御部からの情報に基づいて、前記ＡＴＭセル組み立て部からのＡＴＭセルに対してＶＣ毎の優先セル制御を行うＡＴＭセル送信制御部と、
前記ＡＴＭ伝送路パラメータ格納部に格納されている各ＶＣ毎に割り当てられた最大帯域に基づいて、前記ＡＴＭセル送信制御部からのＡＴＭセルに対してシェーピング処理を行ってＡＴＭ伝送路に送信するシェーピング処理部とを有する。
【００３０】
また、本発明の他の無線基地局装置では、優先セル制御部は、ＡＴＭセルトラフィック量算出部により算出された単位時間当たりのＡＴＭセル数の最大帯域に基づく単位時間当たりのＡＴＭセル数の上限値に対する割合を各ＶＣ毎に求め、該割合の比率の情報を優先セル制御を行うための情報として出力する。
【００３１】
本発明によれば、受信ＴＦＩ値算出部で得られるベアラ毎の上り受信ＴＦＩ値と復号パラメータ格納部の情報を用いてＡＴＭセルトラフィック量算出部にて上りＡＴＭセルのトラフィック量をあらかじめ求めておき、このトラフィック量を優先セル制御部に通知してやることで、単位時間当たりの上りトラフィック量に応じて、ダイナミックにＡＴＭセル送信制御部１０５に優先制御することが可能となる。そのため、本発明の無線基地局における優先セル制御方法によれば、ＡＴＭ伝送路パラメータ格納部の固定的パラメータでＡＴＭセル送信制御部を優先制御していた従来の優先セル制御方法よりもＡＴＭセルを効率的に送信することができる。そのため、セル遅延変動が小さくなり、特定ＶＣのベアラのトラフィック量が増加しても輻輳状態が発生し難くなる。
【発明の効果】
【００３２】
以上説明したように、本発明によれば、ＡＴＭセルトラフィック量算出部により単位時間当たりのＡＴＭセル数を各ＶＣ毎に算出して優先セル制御を行うようにしているので、上り回線のトラフィック量の変動が大きい場合でも、効率的な送信制御を行うことが可能になるという効果を得ることができる。
【発明を実施するための最良の形態】
【００３３】
次に、本発明の実施の形態について図面を参照して詳細に説明する。
【００３４】
（第１の実施形態）
図１は本発明の第１の実施形態における無線基地局装置の構成を示すブロック図である。図１において、図６中の構成要素と同一の構成要素には同一の符号を付し、説明を省略するものとする。
【００３５】
本実施形態の無線基地局装置は、図１に示されるように、受信データ復号処理部１０１と、受信ＴＦＩ値算出部１０２と、復号パラメータ格納部１０３とＡＴＭセル組み立て部１０４とＡＴＭセル送信制御部１０５と、セルバッファ部１０６と、シェーピング処理部１０７とＡＴＭセルトラフィック量算出部１０８と、優先セル制御部１０９とから構成されている。
【００３６】
本実施形態の無線基地局装置は、図６に示した従来の無線基地局装置に対して、優先セル制御部９０９が優先セル制御部１０９に置き換えられ、ＡＴＭセルトラフィック量算出部１０８が新たに設けられた構成となっている。
【００３７】
本実施形態の無線基地局装置では、ＡＴＭセルトラフィック量算出部１０８と、このＡＴＭセルトラフィック量算出部１０８からの情報を用いて優先セル制御を行う優先セル制御部１０９とにより、実際のトラフィック量が予め設定された最大帯域の比率になっていない場合でもＡＴＭセルを効率的に送信することができるようになる。
【００３８】
ＡＴＭセルトラフィック量算出部１０８は、受信ＴＦＩ値算出部１０２により算出された受信ＴＦＩ値と、復号パラメータ格納部１０３に格納されているトランスポート数およびＴＦＩ値に対するトランスポートサイズとトランスポートブロック数よりＡＴＭセル組み立て部１０４で生成される単位時間当たりのＡＴＭセル数をＶＣ毎に算出する。
【００３９】
本実施形態における優先セル制御部１０９は、ＡＴＭセルトラフィック量算出部１０８により算出された単位時間当たりのＶＣ毎のＡＴＭセル数と、ＡＴＭ伝送路パラメータ格納部１１１に格納されている各ＶＣ毎の最大帯域の情報からＡＴＭ優先セル制御を行うための情報を生成してＡＴＭセル送信制御部１０５に通知する。
【００４０】
次に、本実施形態の無線基地局装置の動作を図面を参照して詳細に説明する。以下では、本実施形態の主要部であるＡＴＭセルトラフィック量算出部１０８と優先セル制御部１０９の動作を中心に説明する。
【００４１】
先ず、ＡＴＭセルトラフィック量算出部１０８の動作原理とＡＴＭセル数の求め方を図２と図３を用いて説明する。
【００４２】
先ず、受信ＴＦＩ値算出部１０２により受信ＴＦＩ値が算出される（ステップ２０１）。この動作については従来の無線基地局装置と同様のため、その説明は省略する。
【００４３】
そして、本実施形態におけるＡＴＭセルトラフィック量算出部１０８は、（１）受信ＴＦＩ値、（２）トランスポートチャネル数、（３）ＴＦＩ値に対するトランスポートサイズとトランスポートブロック数、の情報に基づいて、単位時間当たりのＡＴＭセル数をＶＣ毎に算出する（ステップ２０２）。
【００４４】
最後に、優先セル制御部１０９では、ＡＴＭセルトラフィック量算出部１０８により算出された単位時間当たりのＡＴＭセル数に基づいて優先セル制御が行われる（ステップ２０３）。
【００４５】
図３に、３ＧＰＰ  ２５．４２７に規定されている、受信データ復号処理部１０１から受信されるデータフォーマット１１２を示す。
【００４６】
このデータフォーマット１１２では、ヘッダＣＲＣ(Cyclic Redundancy Check)、ＰＴ(Payload Type：ペイロードタイプ)、ＣＦＮ(Connection Frame Number：コネクションフレームナンバー)領域１１３とＱＥ(Quality Estimate：品質指標)領域１１６と、Spare Extension(予備)〜ペイロードＣＲＣ（Payload CRC）領域１１８はそれぞれ２バイト、１バイト、３バイトの合計６バイトの固定サイズである。
【００４７】
ＴＦＩ領域１１４は復号パラメータにより可変サイズであり、トランスポートブロック領域１１５とＣＲＣＩ(ＣＲＣ指標)領域１１７は復号パラメータ及び受信ＴＦＩ算出部１０２から通知される受信ＴＦＩ値毎に可変サイズとなる。
【００４８】
可変サイズとなる部分の算出方法は、受信ＴＦＩ値算出部１０２からの受信ＴＦＩ値と復号パラメータ格納部１０３のトランスポートチャネル数と受信ＴＦＩ値に対するトランスポートブロックサイズとトランスポートブロック数を用いて算出する。ベアラ毎に算出した単位時間当たりのＡＴＭセル数は優先セル制御部１０９に通知される。
【００４９】
これらの動作について図４に具体的なパラメータを用いて説明する。具体例として復号パラメータ及び受信ＴＦＩ値は、トランスポートチャネル数を２、トランスポートチャネル１の受信ＴＦＩ値のトランスポートブロックサイズを２３４ビット、トランスポートブロック数を１、トランスポートチャネル２の受信ＴＦＩ値のトランスポートブロックサイズを４５６ビット、トランスポートブロック数を２とする。
【００５０】
このパラメータを用いてＡＴＭセル数を算出するとデータフレームの固定サイズは６バイト、トランスポートチャネル数２であるからＴＦＩ領域は２バイト、トランスポートブロック領域１１５は、トランスポートチャネル１のトランスポートブロックサイズは２３４ビットであるから２３４÷８＝２９．２５を整数に切り上げて３０バイトでトランスポートブロック数１であるので３０×１＝３０バイトかつトランスポートチャネル２のトランスポートチャネルブロックサイズは４５６ビットであるから４５６÷８＝５７を整数に切り上げて５７バイトでトランスポートブロック数２であるので５７×２＝１１４バイトとなる。
【００５１】
これら算出した結果をすべて加算すると６バイト＋２バイト＋３０バイト＋１１４バイト＋１バイト＝１５３バイトとなり、ショートセルにデータを多重するとＡＴＭセルは１５３バイト÷４５バイト＝３．４となりこのベアラのＡＴＭセル数は４セルとなる。これを数式で表すと、下記のようになる。
【００５２】
【数１】
2007074656.tif 000003
【００５３】
ＤＦＳ：受信データフレームサイズ
ＴＣＨ：トランスポートチャネル数
ＴＢＮｎ：トランスポートチャネルｎのトランスポートブロック数
ＴＢＳｎ：トランスポートチャネルｎのトランスポートブロックサイズ数
Ｒ（Ａ）：数値Ａを最も近い整数に切り上げる。例えば、Ｒ（７．１２３）＝８となる。
【００５４】
このＡＴＭセル数を各ベアラ(音声、ＩＳＤＮ、パケット通信等)毎に算出することで、ＡＴＭセルトラフィック量算出部１０８は、ＡＴＭセル組み立て部１０４からＡＴＭセル送信制御部１０５に流れる各ＶＣ単位毎のトラフィック量を算出することができ、それを優先セル制御部１０９に通知する。
【００５５】
次に、本実施形態における優先セル制御部１０９により行われる優先セル制御方法を図４を参照して説明する。本実施形態の優先セル制御部１０９では、２つの優先セル制御方法を用いることができる。
【００５６】
１つめの優先セル制御方法はＡＴＭセルトラフィック量算出部１０８から通知される単位時間あたりの各ＶＣ毎のＡＴＭセル数の比率に基づいて優先制御を行う方法である。
【００５７】
この場合、優先セル制御部１０９は、ＡＴＭセルトラフィック量算出部１０８により算出された各ＶＣ毎の単位時間当たりのＡＴＭセル数の比率の情報を優先セル制御を行うための情報としてＡＴＭセル送信制御部１０５に出力する。
【００５８】
つまり、ＶＣA（ＶＣＩ＝Ａ）の単位時間当たりのＡＴＭセル数をＡｔ、ＶＣB（ＶＣＩ＝Ｂ）の単位時間当たりのＡＴＭセル数をＢｔ、ＶＣC（ＶＣＩ＝Ｃ）の単位時間当たりのＡＴＭセル数をＣｔ、ＶＣD（ＶＣＩ＝Ｄ）の単位時間当たりのＡＴＭセル数をＤｔ、ＶＣE（ＶＣＩ＝Ｅ）の単位時間当たりのＡＴＭセル数をＥｔとした場合、優先セル制御部１０９は、Ａｔ：Ｂｔ：Ｃｔ：Ｄｔ：Ｅｔの比率で優先制御を行うことにより実際に測定されたトラフィック量に適した優先制御がＡＴＭセル送信制御部１０５に対して行われる。
【００５９】
２つめの優先セル制御方法は、各ＶＣ毎に設定されている最大帯域に対する実際に測定されたトラフィック量の、予め設定されている最大帯域におけるトラフィック量の割合を算出し、この割合の各ＶＣにおける比率に応じて優先制御を行う方法である。
【００６０】
この場合、優先セル制御部１０９は、ＡＴＭセルトラフィック量算出部１０８により算出された単位時間当たりのＡＴＭセル数の、最大帯域に基づく単位時間当たりのＡＴＭセル数の上限値に対する割合を各ＶＣ毎に求め、この割合の比率の情報を優先セル制御を行うための情報としてＡＴＭセル送信制御部１０５に出力する。
【００６１】
つまり、優先セル制御部１０９は、Ａｔ／Ａmax：Ｂｔ／Ｂmax：Ｃｔ／Ｃmax：Ｄｔ／Ｄmax：Ｅｔ／Ｅmaxの比率で優先制御が行われるようにＡＴＭセル送信制御部１０５に通知する。
【００６２】
なお、ここでＡmax、Ｂmax、Ｃmax、Ｄmax、Ｅmaxは、それぞれ、ＶＣA、ＶＣB、ＶＣC、ＶＣD、ＶＣEに対して設定されている最大帯域により算出される単位時間当たりのＡＴＭセル数の上限値である。
【００６３】
上記で説明した１つめの優先セル制御方法は、実際のトラフィック量に応じた効率的なＡＴＭセル送信を実現することができ、２つめの優先セル制御方法は、各ＶＣ毎の最大帯域の比率と実際のトラフィック量の各ＶＣ毎の比率とが一致しない場合でも輻輳状態をできるだけ発生させないための方法である。
【００６４】
例えば、ＶＣB（ＶＣＩ＝Ｂ）の最大帯域が５Ｍｂｐｓであるとすると、単位時間１０ｍｓ当たりのＡＴＭセル数の上限値Ｂmaxは１１７セル／１０ｍｓとなる。この場合、ＶＣBの単位時間１０ｍｓ当たりの実際のＡＴＭセル数Ｂｔが１００セル／１０ｍｓであったとする。そして、ＶＣC（ＶＣＩ＝Ｃ）の最大帯域が２０Ｍｂｐｓであるとすると、単位時間１０ｍｓ当たりのＡＴＭセル数の上限値Ｃmaxは４７１セル／１０ｍｓとなる。この場合、ＶＣCの単位時間１０ｍｓ当たりの実際のＡＴＭセル数Ｃｔが１００セル／１０ｍｓであったとする。
【００６５】
従来の優先セル制御方法では、Ｂmax＜ＣmaxであるためＶＣCのＡＴＭセルを優先的に送信することになるが、本実施形態の優先セル制御方法では、（Ｂｔ／Ｂmax）＞（Ｃｔ／Ｃmax）であることによりＶＣBのＡＴＭセルが優先的に送信される。つまり、実際に使用されている帯域が、設定されている最大帯域に近く余裕の少ないＶＣのＡＴＭセルを優先して送信することにより、輻輳状態の発生をできるだけ防ぐことが可能となる。
【００６６】
本実施形態では受信ＴＦＩ値算出部１０２で得られるベアラ毎の上り受信ＴＦＩ値と復号パラメータ格納部１０３の情報を用いてＡＴＭセルトラフィック量算出部１０８にて上りＡＴＭセルのトラフィック量をあらかじめ求めておき、このトラフィック量を優先セル制御部１０９に通知してやることで、単位時間当たりの上りトラフィック量に応じて、ダイナミックにＡＴＭセル送信制御部１０５に優先制御することができる。このことによりＡＴＭ伝送路パラメータ格納部１１１の固定的パラメータでＡＴＭセル送信制御部１０５を優先制御していた従来の優先セル制御方法よりもＡＴＭセルを効率的に送信することができる。そのため、セル遅延変動が小さくなり、特定ＶＣのベアラのトラフィック量が増加しても輻輳状態が発生し難くなる。
【００６７】
尚、本実施形態ではＡＴＭセルトラフィック量算出部１０５で、単位時間当たりのＡＴＭセル数を算出しているが、この単位時間当たりの設定値を変更できることにより、さらに柔軟な優先セル制御を行うことができる。
【００６８】
（第２の実施形態）
次に、本発明の第２の実施形態の無線基地局装置について説明する。
【００６９】
上記第１の実施形態では、ＡＴＭ伝送装置に対して本発明を適用した場合を用いて説明したが、本発明の第２の実施形態では、イーサネット（Ethernet）伝送装置に対して本発明を適用した場合を用いて説明する。
【００７０】
図５は本発明の第２の実施形態における無線基地局装置の構成を示すブロック図である。図５において、図１中の構成要素と同一の構成要素には同一の符号を付し、説明を省略するものとする。
【００７１】
本実施形態の無線基地局装置は、図５に示されるように、受信データ復号処理部１０１と、受信ＴＦＩ値算出部１０２と、復号パラメータ格納部１０３と、フレーム組み立て部１４４と、フレームトラフィック量算出部１４５と、フレームバッファ部１４６と、フレーム送信制御部１４７と、優先フレーム制御部１４８と、ＩＰ伝送路パラメータ格納部１５０と、シェーピング処理部１５１とから構成されている。また、本実施形態の無線基地局装置は、ＩＰ伝送路を介して上位装置と接続されている。
【００７２】
本実施形態の無線基地局装置では、図７に示したようなＡＴＭセル化をイーサネットフレーム化に変更して同様な処理が行われる。本実施形態の無線基地局装置は、図１に示した第１の実施形態の無線基地局装置に対して、ＡＴＭセル組み立て部１０４、ＡＴＭセルトラフィック量算出部１０８、ＡＴＭセル送信制御部１０５、セルバッファ部１０６と、優先セル制御部１０９と、シェーピング処理部１０７と、ＡＴＭ伝送路パラメータ格納部１１１が、それぞれ、受信復号データのイーサネットフレームを組み立てるフレーム組み立て部１４４と、受信ＴＦＩ値算出部１０２の受信ＴＦＩ値と復号パラメータ格納部１０３からイーサネットフレームのトラフィック量を算出するフレームトラフィック量算出部１４５と、優先フレーム制御部１４８からの情報に応じて送信制御を施すフレーム送信制御部１４７と、イーサネットフレームを格納するフレームバッファ部１４６と、優先フレーム制御部１４８と、イーサネットフレームデータを必要に応じて平滑化するシェーピング処理部１５１と、上位装置からのイーサネット伝送路パラメータを格納するＩＰ伝送路パラメータ格納部１５０とに置き換わった構成である。
【００７３】
本実施形態の無線基地局装置における優先セル制御の動作は、図１に示した第１の実施形態の無線基地局装置において、ＡＴＭセルがイーサネットフレームに置き換わったものであり、その基本的な動作は同様であるため詳細な説明については省略する。
【図面の簡単な説明】
【００７４】
【図１】本発明の第１の実施形態の無線基地局装置の構成を示すブロック図である。
【図２】本発明の第１の実施形態の無線基地局装置における優先セル制御を説明するためのフローチャートである。
【図３】受信データ復号処理部１０１から受信されるデータフォーマット１１２を示す図である。
【図４】本発明の第１の実施形態における優先セル制御方法を説明するための図である。
【図５】本発明の第２の実施形態の無線基地局装置の構成を示すブロック図である。
【図６】従来の無線基地局装置の構成を示すブロック図である。
【図７】上りデータフレームをＡＴＭセル化する際の処理を説明するための図である。
【図８】従来の優先セル制御方法を説明するための図である。
【符号の説明】
【００７５】
１０１    受信データ復号処理部
１０２    受信ＴＦＩ値算出部
１０３    復号パラメータ格納部
１０４    ＡＴＭセル組み立て部
１０５    ＡＴＭセル送信制御部
１０６    セルバッファ部
１０７    シェーピング処理部
１０８    ＡＴＭセルトラフィック量算出部
１０９    優先セル制御部
１１１    ＡＴＭ伝送路パラメータ格納部
１１２    受信データフレーム
１１３    ヘッダＣＲＣ、ＰＴ、ＣＦＮ領域
１１４    ＴＦＩ領域
１１５    トランスポートブロック領域１１５
１１６    ＱＥ領域
１１７    ＣＲＣＩ領域
１１８    Spare Extension(予備)〜ペイロードＣＲＣ領域
１２７    ＡＴＭセル
１２８    ＡＴＭヘッダ（ＡＨ）
１２９    ショートセルヘッダ（ＳＨ）
１３０    ショートセルペイロード
１４４    イーサネットフレーム組み立て部
１４５    イーサネットフレームトラフィック算出部
１４６    フレームバッファ部
１４７    イーサネットフレーム送信制御部
１４８    優先フレーム制御部
１５０    イーサネットＩＰ伝送路パラメータ格納部
１５１    シェーピング処理部
９０９    優先セル制御部
【図１】
2007074656.tif 000004
【図２】
2007074656.tif 000005
【図３】
2007074656.tif 000006
【図４】
2007074656.tif 000007
【図５】
2007074656.tif 000008
【図６】
2007074656.tif 000009
【図７】
2007074656.tif 000010
【図８】
2007074656.tif 000011